【手続補正書】
【提出日】平成21年1月29日(2009.1.29)
【手続補正１】
【補正対象書類名】特許請求の範囲
【補正対象項目名】全文
【補正方法】変更
【補正の内容】
【特許請求の範囲】
【請求項１】
既に動作中のＤＳＬ回線セットに新規ＤＳＬ回線セットを追加する方法であって、
前記新規ＤＳＬ回線セットおよび前記既に動作中のＤＳＬ回線セットの同時使用中に前記既に動作中のＤＳＬ回線セットの妨害を回避するように、前記新規回線がトレーニング可能となる前に、前記新規ＤＳＬ回線セット内の少なくとも１つのＤＳＬ回線の動作を構成するステップであって、前記動作構成は第1の送信パワーまたはスペクトラム制御を有するステップと、
前記新規ＤＳＬ回線セット内の少なくとも１つのＤＳＬ回線および前記既に動作中のＤＳＬ回線セットを同時に使用してデータを送信するステップと、
前記新規ＤＳＬ回線セットおよび前記既に動作中のＤＳＬ回線セットの同時使用を評価して、前記既に動作中のＤＳＬ回線セットに対する前記新規ＤＳＬ回線セットの任意の動作上の影響を判断するステップと、
前記第1の送信パワーまたはスペクトラム制御で可能とされていたよりも高いデータレートを可能とするために、第2の送信パワーまたはスペクトラム制御で前記新規DSL回線セット内の前記少なくとも1つのDSL回線の動作を再構成するステップと、
を含む方法。
【請求項２】
前記新規ＤＳＬ回線セットおよび前記既に動作中のＤＳＬ回線セットの同時使用を評価するステップは、前記新規ＤＳＬ回線セット内の少なくとも１つのＤＳＬ回線および前記既に動作中のＤＳＬ回線セットを同時に使用してデータを送信した結果として生じる漏話レベルを測定するステップを含む、請求項１に記載の方法。
【請求項３】
前記既に動作中のＤＳＬ回線セットは、ベクタードＤＳＬ回線セット、単一のＤＳＬ回線、または複数のＤＳＬ回線のうちの少なくとも１つを含み、
さらに、前記新規ＤＳＬ回線セットは、単一のＤＳＬ回線、または複数のＤＳＬ回線を含む、請求項１に記載の方法。
【請求項４】
前記新規ＤＳＬ回線セットによる前記既に動作中のＤＳＬ回線セットの妨害を回避するように、前記既に動作中のＤＳＬ回線セットの動作を構成するステップをさらに含み、前記既に動作中のＤＳＬ回線セットの動作を構成するステップは、
前記新規ＤＳＬ回線セット内の少なくとも１つのＤＳＬ回線および前記既に動作中のＤＳＬ回線セットを同時に使用してデータを送信する前、または
前記新規ＤＳＬ回線セットおよび前記既に動作中のＤＳＬ回線セットの同時使用を評価した後
のいずれかで行われる、請求項１に記載の方法。
【請求項５】
前記新規ＤＳＬ回線セット内の少なくとも１つのＤＳＬ回線の動作を構成するステップは、前記新規ＤＳＬ回線セット内の複数のＤＳＬ回線上の直交トレーニングシーケンスを使用して、同時トレーニング中に前記新規ＤＳＬ回線内の複数のＤＳＬ回線の独立した識別を可能にするステップを含む、請求項１に記載の方法。
【請求項６】
前記新規ＤＳＬ回線セット内の少なくとも１つのＤＳＬ回線の動作を構成するステップは、前記既に動作中のＤＳＬ回線セット内の妨害漏話を回避するように前記新規ＤＳＬ回線セット内の少なくとも１つのＤＳＬ回線の少なくとも１つの送信パワーレベルを第1のレベルに設定するステップであって、前記第1のレベルは、前記第2の送信パワーまたはスペクトラム制御の第2の送信パワーレベルよりも低いステップを含む、請求項１に記載の方法。
【請求項７】
前記既に動作中のＤＳＬ回線セット内の妨害漏話を回避するように新規ＤＳＬ回線セット内の少なくとも１つのＤＳＬ回線の少なくとも１つの送信パワーレベルを設定するステップは、ＣＡＲＭＡＳＫ、ＰＳＤＭＡＳＫ、ＭＡＸＮＯＭＡＴＰ、ＭＡＸＮＯＭＰＳＤ、ＭＡＸＲＸＰＷＲ、ＲＦＩＢＡＮＤＳ、ＭＡＸＳＮＲＭ、ＢＣＡＰ［ｎ］、Ｒｍａｘ、アップストリームパワー「バックオフ」、キャリアマスク動作パラメータ、ＰＳＤ動作パラメータ、データレート動作パラメータ、ビット制限動作パラメータ、またはマージン動作パラメータのうちの少なくとも１つを使用して前記新規ＤＳＬ回線セット内の少なくとも１つのＤＳＬ回線の送信パワーを制限するステップを含む、請求項６に記載の方法。
【請求項８】
前記新規ＤＳＬ回線セット内の少なくとも１つのＤＳＬ回線の動作を構成するステップは、前記新規ＤＳＬ回線セット内の少なくとも１つのＤＳＬ回線によるデータ送信を、前記既に動作中のＤＳＬ回線セット内の妨害漏話を回避するように構成された少なくとも１つのトーンセットに制限するステップであって、前記少なくとも1つのトーンセットは、前記第2の送信パワーまたはスペクトラム制御のトーン数よりも少ないトーン数を有するステップを含む、請求項１に記載の方法。
【請求項９】
前記新規ＤＳＬ回線セット内の少なくとも１つのＤＳＬ回線によるデータ送信を、前記既に動作中のＤＳＬ回線セット内の妨害漏話を回避するように構成された少なくとも１つのトーンセットに制限するステップは、ＣＡＲＭＡＳＫ、ＰＳＤＭＡＳＫ、ＲＦＩＢＡＮＤＳ、ＢＣＡＰ［ｎ］、キャリアマスク動作パラメータ、ＰＳＤ動作パラメータ、ビット制限動作パラメータ、またはマージン動作パラメータのうちの少なくとも１つを使用するステップを含む、請求項８に記載の方法。
【請求項１０】
前記既に動作中のＤＳＬ回線セットはベクタードＤＳＬ回線セットであり、前記新規ＤＳＬ回線セットを、前記ベクタードＤＳＬ回線セットを使用するベクタード動作に統合するように前記ベクタードＤＳＬ回線セットの動作を調整するステップをさらに含む、請求項１に記載の方法。
【請求項１１】
前記新規ＤＳＬ回線セットを、前記ベクタードＤＳＬ回線セットを使用するベクタード動作に統合するように前記ベクタードＤＳＬ回線セットの動作を調整するステップは、
前記新規ＤＳＬ回線セットおよび前記既に動作中のＤＳＬ回線セットのベクタチャネルおよびノイズ情報を得るステップと、
前記得られたベクタチャネルおよびノイズ情報に基づいてベクタリングを行うステップと、
を含む、請求項１０に記載の方法。
【請求項１２】
前記新規ＤＳＬ回線セットを、前記ベクタードＤＳＬ回線セットを使用するベクタード動作に統合するように前記ベクタードＤＳＬ回線セットの動作を調整するステップは、前記新規ＤＳＬ回線セットおよび前記既に動作中のＤＳＬ回線セットの同時使用を評価した後に、前記新規ＤＳＬ回線セットを、前記ベクタードＤＳＬ回線セットを使用するベクタード動作に統合するように前記ベクタードＤＳＬ回線セットの動作を構成するステップを含む、請求項１０に記載の方法。
【請求項１３】
前記新規ＤＳＬ回線セットを、前記ベクタードＤＳＬ回線セットを使用するベクタード動作に統合するように前記ベクタードＤＳＬ回線セットの動作を調整するステップは、前記新規ＤＳＬ回線セットおよび前記既に動作中のＤＳＬ回線セットの同時使用を評価した後に、前記新規ＤＳＬ回線セットを、前記ベクタードＤＳＬ回線セットを使用するベクタード動作に統合するように前記新規ＤＳＬ回線セットの動作を構成するステップを含む、請求項１０に記載の方法。
【請求項１４】
新規ＤＳＬ回線セットおよび既に動作中のＤＳＬ回線セットから動作データを収集するように構成されるデータ収集ユニットと、
前記収集ユニットに結合される解析ユニットであって、
前記収集された動作データを解析し、
前記新規回線がトレーニング可能となる前に、前記既に動作中のＤＳＬ回線セットを妨害することなく前記新規ＤＳＬ回線セットを前記既に動作中のＤＳＬ回線セットに統合することができる、前記新規ＤＳＬ回線セット内の少なくとも１つのＤＳＬ回線の動作構成を決定し、ここで前記動作構成は第1の送信パワーまたはスペクトラム制御を有しており、
前記新規ＤＳＬ回線セットが受け取るデータを評価し、
前記既に動作中のＤＳＬ回線セットが受け取るデータを評価し、
前記第1の送信パワーまたはスペクトラム制御で可能とされていたよりも高いデータレートを可能とするために、前記新規DSL回線セット内の前記少なくとも1つのDSL回線の動作構成を決定する
ように構成される解析ユニットと、
前記解析ユニットに結合される制御信号発生器であって、前記新規ＤＳＬ回線セットおよび前記既に動作中のＤＳＬ回線セットに制御信号を送信するように構成され、さらに、前記制御信号は、前記新規ＤＳＬ回線セットまたは前記既に動作中のＤＳＬ回線セットのうちの少なくとも１つの動作を制御する信号を含む、制御信号発生器と、
を備えるコントローラであって、
前記新規ＤＳＬ回線セットからの漏話が前記既に動作中のＤＳＬ回線セットに影響するか否かを評価するように構成されるコントローラ。
【請求項１５】
前記新規ＤＳＬ回線セット内の少なくとも１つのＤＳＬ回線の前記動作構成の決定は、前記既に動作中のＤＳＬ回線セット内の妨害漏話を回避するように前記新規ＤＳＬ回線セット内の少なくとも１つのＤＳＬ回線の送信パワーを第1のレベルに設定することを含み、前記第1のレベルは、前記第2の送信パワーまたはスペクトラム制御の第2のレベルよりも低い、請求項１４に記載のコントローラ。
【請求項１６】
前記コントローラは、前記新規ＤＳＬ回線セットおよび前記既に動作中のＤＳＬ回線セットのベクタチャネルおよびノイズ情報を得るように構成される、請求項１４に記載のコントローラ。
【請求項１７】
前記既に動作中のＤＳＬ回線セットは、ベクタードＤＳＬ回線セット、単一のＤＳＬ回線、または複数のＤＳＬ回線のうちの少なくとも１つを含む、請求項１４に記載のコントローラ。
【請求項１８】
前記新規ＤＳＬ回線セット内の少なくとも１つのＤＳＬ回線の動作構成は、同時トレーニング中に前記新規ＤＳＬ回線セット内の複数のＤＳＬ回線の独立した識別を可能にする、前記新規ＤＳＬ回線セット内の複数のＤＳＬ回線上の直交トレーニングシーケンスを含む、請求項１４に記載のコントローラ。
【請求項１９】
前記新規ＤＳＬ回線セットおよび前記既に動作中のＤＳＬ回線セットに送信される前記制御信号は、ＣＡＲＭＡＳＫ、ＰＳＤＭＡＳＫ、ＲＦＩＢＡＮＤＳ、ＢＣＡＰ［ｎ］、キャリアマスク動作パラメータ、ＰＳＤ動作パラメータ、ビット制限動作パラメータ、またはマージン動作パラメータのうちの少なくとも１つを制御する信号を含む、請求項１４に記載のコントローラ。
【請求項２０】
機械可読媒体と、
前記機械可読媒体に含まれるプログラム命令と、
を含むコンピュータプログラム製品であって、
前記プログラム命令は、新規ＤＳＬ回線セットをトレーニングして既に動作中のＤＳＬ回線セットに統合する方法を指定し、前記方法は、
前記新規ＤＳＬ回線セットおよび前記既に動作中のＤＳＬ回線セットの同時使用中に前記既に動作中のＤＳＬ回線セットの妨害を回避するように、前記新規回線がトレーニング可能となる前に、前記新規ＤＳＬ回線セット内の少なくとも１つのＤＳＬ回線の動作を構成するステップであって、前記動作構成は第1の送信パワーまたはスペクトラム制御を有するステップと、
前記新規ＤＳＬ回線セット内の少なくとも１つのＤＳＬ回線および前記既に動作中のＤＳＬ回線セットを同時に使用してデータを送信するステップと、
前記新規ＤＳＬ回線セットおよび前記既に動作中のＤＳＬ回線セットの同時使用を評価して、前記既に動作中のＤＳＬ回線セットに対する前記新規ＤＳＬ回線セットの任意の動作影響を判断するステップと、
前記第1の送信パワーまたはスペクトラム制御で可能とされていたよりも高いデータレートを可能とするために、第2の送信パワーまたはスペクトラム制御で前記新規DSL回線セット内の前記少なくとも1つのDSL回線の動作を再構成するステップと、
を含むコンピュータプログラム製品。